(57)【特許請求の範囲】
【請求項１】
ウェブページの情報を表示するウェブページ閲覧手段と、
テレビジョン番組のキーワードの文字列と前記テレビジョン番組の放送時間を示す電子番組ガイドデータベースと、
表示しているウェブページ中の文字情報に含まれる最小単位の文字列のそれぞれの品詞を判定し、品詞が名詞である文字列を優先して判定対象文字列として抽出し、前記表示しているウェブページから抽出した判定対象文字列が前記電子番組ガイドデータベースにおけるテレビジョン番組のキーワードの文字列に含まれているかどうかにより、前記表示しているウェブページから抽出した判定対象文字列がテレビジョン番組に関連するかどうかを判定するテレビジョン関連ウェブページ判定手段と、
前記表示しているウェブページのテレビジョン番組に関連する判定対象文字列の部分にハイパーリンクを付加するリンク挿入手段と、
前記ハイパーリンクで示される部分が選択されたとき、前記ハイパーリンクに対応するテレビジョン番組が放送前、放送中、又は放送後かを判定する放送時間判定部と、
前記ハイパーリンクに対応するテレビジョン番組が放送前であれば前記番組の録画予約を行う録画手段と、
前記ハイパーリンクに対応するテレビジョン番組が放送中であれば前記番組の受信再生を行う受信表示手段と、
前記ハイパーリンクに対応するテレビジョン番組が放送後であれば前記番組に関連するウェブページを表示する表示手段と、
を備えることを特徴とする携帯端末。
【請求項２】
テレビジョン番組の放送予定を示す電子番組情報の取得手段と、
前記電子番組情報の文字情報の解析を行ってキーワードの文字列を抽出する電子番組情報文字列データ生成手段とを備え、
前記電子番組ガイドデータベースは、前記電子番組情報文字列データ生成手段が抽出したキーワードの文字列を示すことを特徴とする請求項１に記載の携帯端末。
【請求項３】
前記表示手段は、前記テレビジョン番組の放送前、放送中、又は放送後かに応じて、前記ハイパーリンクの表示形態を変化させることを特徴とする請求項１又は請求項２のいずれかに記載の携帯端末。
【請求項４】
携帯端末の制御方法であって、
前記携帯端末が、
ウェブページの情報を表示するステップと、
表示しているウェブページ中の文字情報に含まれる最小単位の文字列のそれぞれの品詞を判定し、
品詞が名詞である文字列を優先して判定対象文字列として抽出し、前記表示しているウェブページから抽出した判定対象文字列が、電子番組ガイドデータベースにおけるテレビジョン番組のキーワードの文字列に含まれているかどうかにより、前記表示しているウェブページから抽出した判定対象文字列がテレビジョン番組に関連するかどうかを判定するステップと、
前記表示しているウェブページから抽出した判定対象文字列がテレビジョン番組に関連すると判定された場合に、前記表示しているウェブページのテレビジョン番組に関連する判定対象文字列の部分にハイパーリンクを付加するリンク挿入ステップと、
前記ハイパーリンクで示される部分が選択されたとき、前記ハイパーリンクに対応するテレビジョン番組が放送前、放送中、又は放送後かを判定する放送時間判定ステップと、
前記ハイパーリンクに対応するテレビジョン番組が放送前であれば前記番組の録画予約を行う録画ステップと、
前記ハイパーリンクに対応するテレビジョン番組が放送中であれば前記番組の受信再生を行う受信表示ステップと、
前記ハイパーリンクに対応するテレビジョン番組が放送後であれば前記番組に関連するウェブページを表示する表示ステップと、
を有する携帯端末の制御方法。
【請求項５】
携帯端末のコンピュータに、
ウェブページの情報を表示するステップと、
表示しているウェブページ中の文字情報に含まれる最小単位の文字列のそれぞれの品詞を判定し、
品詞が名詞である文字列を優先して判定対象文字列として抽出し、前記表示しているウェブページから抽出した判定対象文字列が、電子番組ガイドデータベースにおけるテレビジョン番組のキーワードの文字列に含まれているかどうかにより、前記表示しているウェブページから抽出した判定対象文字列がテレビジョン番組に関連するかどうかを判定するステップと、
前記表示しているウェブページから抽出した判定対象文字列がテレビジョン番組に関連すると判定された場合に、前記表示しているウェブページのテレビジョン番組に関連する判定対象文字列の部分にハイパーリンクを付加するリンク挿入ステップと、
前記ハイパーリンクで示される部分が選択されたとき、前記ハイパーリンクに対応するテレビジョン番組が放送前、放送中、又は放送後かを判定する放送時間判定ステップと、
前記ハイパーリンクに対応するテレビジョン番組が放送前であれば前記番組の録画予約を行う録画ステップと、
前記ハイパーリンクに対応するテレビジョン番組が放送中であれば前記番組の受信再生を行う受信表示ステップと、
前記ハイパーリンクに対応するテレビジョン番組が放送後であれば前記番組に関連するウェブページを表示する表示ステップと、
を実行させるための携帯端末の制御プログラム。
【発明の詳細な説明】
【技術分野】
【０００１】
本発明は、インターネットの接続機能とテレビジョン再生機能とを備えた携帯端末、携帯端末の制御方法、及び携帯端末の制御プログラムに関する。
【背景技術】
【０００２】
テレビジョン放送局のインターネットのウェブページでは、テレビジョン放送で紹介した情報の詳細や番組情報等を提供している。テレビジョン放送関連のウェブページについては、テレビジョン放送中に紹介される場合があるが、テレビジョン放送を見ながら、その関連情報のウェブページのサイトのアドレス（ＵＲＬ（Ｕｎｉｆｏｒｍ  Ｒｅｓｏｕｒｃｅ  Ｌｏｃａｔｏｒ））をメモし、パソコン等でそのＵＲＬのサイトに接続して、その関連情報のウェブページを開くという作業は、細かな手作業を要し煩わしい。
【０００３】
テレビジョン画面上に表示されたＵＲＬを再入力不要とする技術としては、例えば特許文献１に示されるように、テレビジョンから報知された情報を基にインターネットで検索する方法がある。特許文献１に示されるものでは、操作時点の時刻、視聴中のチャンネル及び地域情報の組を検索条件としてＵＲＬを特定する情報サービスセンターが設けられ、ユーザの指示操作により、この情報サービスセンターに問い合わせることで、ウェブページのＵＲＬを取得閲覧することができる。
【０００４】
また、ディジタル放送の文字情報などにも、ウェブページに関する情報があり、そのＵＲＬから直接インターネットに接続可能である。放送局のウェブページでは、対象ニュースのハイパーリンクを選択すると、ビューアが起動しニュース番組を見ることができたり、ＥＰＧ（Ｅｌｅｃｔｒｏｎｉｃ  Ｐｒｏｇｒａｍ  Ｇｕｉｄｅ）番組表で、特定の番組を選択すると、テレビジョンのアプリケーションプログラムが起動し、番組を見ることができる。
【０００５】
また、特許文献２には、視聴者装置と映像又は音声に関係したサービスを提供するコンテンツ提供サーバとをネットワークを介して接続し、視聴者装置がサービス提供を要求する際に関連情報提供サーバに必要なサービス提供要求情報を送信して映像に関連する提供可能なサービスの情報を要求し、関連情報提供サーバがサービス提供要求情報に基づいて視聴者装置に提供可能なサービスの情報を送信し、視聴者装置が提供可能なサービスの情報を受信し、視聴者装置が前記提供可能なサービスの中から選択したサービスの提供をコンテンツ提供サーバに要求し、コンテンツ提供サーバからサービスの提供を受けるようにしたものが記載されている。
【先行技術文献】
【特許文献】
【０００６】
【特許文献１】特開２００２−１０８８８９号公報
【特許文献２】特開２００２−２０９２０４号公報
【発明の概要】
【発明が解決しようとする課題】
【０００７】
しかしながら、特許文献１に示されているのは、テレビジョン放送からインターネットのウェブページへの連携を行うものにすぎない。
【０００８】
また、特許文献２には、テレビジョンで視聴中の映像や、ラジオで視聴中の音楽にネットワーク上の情報を連携させるシステムであり、放送を視聴する視聴者の視聴者装置と、放送に関連するコンテンツを提供するコンテンツ提供サーバとがネットワークを介して接続されるシステムである。このシステムでは、インターネットで、テレビジョン放送の特定場面を報知表示可能状態にする。
【０００９】
しかしながら、特許文献２に示されるものでは、インターネットでウェブページを閲覧している状態からテレビジョン番組を見るという動作をするためには、ウェブページで見ていた番組情報を基に別途ユーザがテレビジョンを立ち上げ、起動したテレビジョンでユーザがチャンネル選択を行う操作が必要である。
【００１０】
上述の課題を鑑み、本発明は、インターネットのウェブページからテレビジョン放送に、スムーズで多彩な連携操作ができる携帯端末、携帯端末の制御方法、及び携帯端末の制御プログラムを提供することを目的とする。
【課題を解決するための手段】
【００１１】
上述の課題を解決するために、第１の発明は、ウェブページの情報を表示するウェブページ閲覧手段と、テレビジョン番組のキーワードの文字列と前記テレビジョン番組の放送時間を示す電子番組ガイドデータベースと、表示しているウェブページ中の文字情報に含まれる最小単位の文字列のそれぞれの品詞を判定し、品詞が名詞である文字列を優先して判定対象文字列として抽出し、前記表示しているウェブページから抽出した判定対象文字列が前記電子番組ガイドデータベースにおけるテレビジョン番組のキーワードの文字列に含まれているかどうかにより、前記表示しているウェブページから抽出した判定対象文字列がテレビジョン番組に関連するかどうかを判定するテレビジョン関連ウェブページ判定手段と、前記表示しているウェブページのテレビジョン番組に関連する判定対象文字列の部分にハイパーリンクを付加するリンク挿入手段と、前記ハイパーリンクで示される部分が選択されたとき、前記ハイパーリンクに対応するテレビジョン番組が放送前、放送中、又は放送後かを判定する放送時間判定部と、前記ハイパーリンクに対応するテレビジョン番組が放送前であれば前記番組の録画予約を行う録画手段と、前記ハイパーリンクに対応するテレビジョン番組が放送中であれば前記番組の受信再生を行う受信表示手段と、前記ハイパーリンクに対応するテレビジョン番組が放送後であれば前記番組に関連するウェブページを表示する表示手段とを備えることを特徴とする携帯端末及び携帯端末の制御プログラムである。
【００１２】
上記第１の発明において、テレビジョン番組の放送予定を示す電子番組情報の取得手段と、前記電子番組情報の文字情報の解析を行ってキーワードの文字列を抽出する電子番組情報文字列データ生成手段とを備え、前記電子番組ガイドデータベースは、前記電子番組情報文字列データ生成手段が抽出したキーワードの文字列を示すことを特徴とする。
【００１５】
上記第１の発明において、前記指示手段は、前記表示手段は、前記テレビジョン番組の放送前、放送中、又は放送後かに応じて、前記ハイパーリンクの表示形態を変化させることを特徴とする。
【発明の効果】
【００１６】
本発明によれば、表示しているウェブページがテレビジョン番組に関連するかどうかを判定し、表示しているウェブページがテレビジョン番組に関連する場合には、そのテレビジョン放送の受信を開始したり、或いは、その番組の放送開始前ならその番組を録画状態に設定したり、その番組の放送終了後ならその番組に関連する情報を表示したりして、テレビジョン放送の受信状態を設定している。これにより、インターネットのウェブページからテレビジョンへの連係操作が可能になり、携帯端末の使い勝手の向上が図れる。
【図面の簡単な説明】
【００１７】
【図１】本発明が適用できる携帯電話端末の外観構成を示す正面図及び背面図である。
【図２】本発明が適用できる携帯電話端末の内部構成を示すブロック図である。
【図３】本発明の第１の実施形態におけるインターネットからテレビジョンへの連携の説明図である。
【図４】本発明の第１の実施形態における起動確認表示の説明図である。
【図５】本発明の第１の実施形態の動作に基づく機能ブロック図である。
【図６】本発明の第１の実施形態におけるＴＶ関連ウェブページデータベースの説明図である。
【図７】本発明の第１の実施形態の動作説明に用いるフローチャートである。
【図８】本発明の第２の実施形態におけるＥＰＧ情報の解析の説明図である。
【図９】本発明の第２の実施形態におけるＥＰＧ情報の解析の説明図である。
【図１０】本発明の第２の実施形態におけるＥＰＧ文字列データベースの説明図である。
【図１１】本発明の第２の実施形態におけるウェブページ情報の解析の説明図である。
【図１２】本発明の第２の実施形態におけるウェブページ情報の解析の説明図である。
【図１３】本発明の第２の実施形態におけるＴＶリンクの説明図である。
【図１４】本発明の第２の実施形態におけるＴＶリンクの説明図である。
【図１５】本発明の第２の実施形態におけるＴＶリンクの説明図である。
【図１６】本発明の第２の実施形態の動作に基づく機能ブロック図である。
【図１７】本発明の第２の実施形態の動作説明に用いるフローチャートである。
【図１８】本発明の第３の実施形態におけるインターネットからテレビジョンへの連携の説明図である。
【図１９】本発明の第３の実施形態における起動確認表示の説明図である。
【図２０】本発明の第３の実施形態の動作に基づく機能ブロック図である。
【図２１】本発明の第３の実施形態の動作説明に用いるフローチャートである。
【発明を実施するための形態】
【００１８】
以下、本発明の実施の形態について図面を参照しながら説明する。
＜第１の実施形態＞
図１は、本発明が適用できる携帯電話端末１の外観構成を示すものである。本発明が適用できる携帯電話端末１は、電話機能、インターネットの通信機能、テレビジョン受信機能を備え、その他に、カメラ機能、ＧＰＳ（Ｇｌｏｂａｌ  Ｐｏｓｉｔｉｏｎｉｎｇ  Ｓｙｓｔｅｍ）機能、電子マネー機能等を必要に応じて備えた多機能型の携帯電話端末である。また、この例では、携帯電話端末１は折り畳み自在の構造となっているが、ストレート型の構造であってもよい。図１（Ａ）は、携帯電話端末１の内側となる部分の各部の配置を示し、図１（Ｂ）は、外側となる各部の配置を示すものである。
【００１９】
図１（Ａ）に示すように、携帯電話端末１の内側となる部分の下端には、マイクロホン１１が配置される。携帯電話端末１の内側となる部分の上端には、スピーカ１２が配置される。マイクロホン１１及びスピーカ１２は、電話使用時に送受話を行うものである。
【００２０】
また、携帯電話端末１の内側となる部分の上方には、表示部１３が配置される。表示部１３は、例えば液晶ディスプレイや有機ＥＬディスプレイである。表示部１３には、各種の文字や画像が表示される。すなわち、電話利用時には、表示部１３に、着信や送信の電話番号や住所録が表示される。また、インターネットを利用時には、表示部１３に、インターネットのビューアの表示画面や、送受信メールが表示される。また、カメラ撮影時には、表示部１３がビューファインダとして用いられる他、撮影したカメラ画像が表示部１３に表示される。また、ＧＰＳナビゲーション時には、表示部１３に、地図画面が表示される。また、テレビジョン受信時には、表示部１３に、受信したテレビジョン放送の画面が表示される。
【００２１】
携帯電話端末１の内側となる部分の下方には、テンキー（＊キーや＃キーを含む）１４、カーソルキー１５、決定キー１６、機能キー１７ａ〜１７ｄが配置される。テンキー１４は、電話番号の入力、メールや電話帳作成時の文字入力等に用いられる。カーソルキー１５は、表示部１３に表示されるカーソルを移動させて、各種の選択入力等を行うのに用いられる。決定キー１６は、選択実行を行うのに用いられる。機能キー１７ａ〜１７ｄは、状態やモードに応じて、各種の入力を行うのに用いられる。
【００２２】
携帯電話端末１の外側には、図１（Ｂ）に示すように、カメラ部１８、アンテナ１９が配置される。カメラ部１８は、風景を撮影したりするのに利用される他、二次元バーコード等のバーコードの入力等に利用される。アンテナ１９は、テレビジョン放送の受信のためのアンテナである。
【００２３】
図２は、本発明が適用できる携帯電話端末１の主要部の内部構成を示すものである。図２において、主制御部２１は、ＣＰＵ（Ｃｅｎｔｒａｌ  Ｐｒｏｃｅｓｓｉｎｇ  Ｕｎｉｔ）等からなり、携帯電話端末の全体の動作の制御を行っている。プロラムメモリ２２はＲＯＭ（Ｒｅａｄ  Ｏｎｌｙ  Ｍｅｍｏｒｙ）であり、ブートプログラム、基本プログラム、インターネットのビューア、メーラ、カメラ制御、ＧＰＳ制御、電子マネー制御、テレビジョン受信及び録画制御等、各種のアプリケーションプログラムが保存されている。メモリ２３には、各種のプリセットデータ、電話帳データ、メールのデータ、電話履歴、位置履歴、行動履歴、写真情報等、各種のデータが記憶される。また、メモリ２３には、インターネットのダウンロード情報や、テレビジョン受信の際のＥＰＧ（Ｅｌｅｃｔｒｏｎｉｃ  Ｐｒｏｇｒａｍ  Ｇｕｉｄｅ）情報が記憶される。大容量メモリ２４は、フラッシュメモリ等からなり、ＧＰＳナビゲーションに使う地図情報等や動画情報等が記憶される。
【００２４】
電池２５は、携帯電話端末１の各部に電源を供給するものである。電池２５としては、ニッケル・カドミウム電池、ニッケル水素電池、リチウム・イオン電池等の二次電池が用いられる。電池制御部２６は、電池２５からの電源の制御を行っている。
【００２５】
操作部２７は、ユーザからの入力操作が行われる。操作部２７には、テンキー１４や、カーソルキー１５、決定キー１６、機能キー１７ａ〜１７ｄ（図１参照）等が含まれる。
表示部１３は、液晶ディスプレイからなり、表示部１３は、前述したように、各種の文字や画像の表示に用いられる。
【００２６】
近距離通信部２９は、他の周辺機器と無線で接続してデータの送受信を行うものである。通信方式としては、例えば、Ｂｌｕｅｔｏｏｔｈ（登録商標）が用いられる。Ｉｒ送信部３１、Ｉｒ受信部３２は、他の周辺機器を赤外線で操作するためのものである。
【００２７】
無線部３３は、基地局との間で、電波の送受信を行うものである。通信方式としては、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎ）、ＣＤＭＡ（Ｃｏｄｅ  Ｄｉｖｉｓｉｏｎ  Ｍｕｌｔｉｐｌｅ  Ａｃｃｅｓｓ）、ＷＣＤＭＡ（登録商標）（Ｗｉｄｅｂａｎｄ  ＣＤＭＡ）等がある。本発明では、どのような通信方式を用いても良い。通信制御部３４は、基地局との間で通信する信号の制御を行っている。
【００２８】
マイクロホン１１及びスピーカ１２は、電話利用時に、送受話を行う場合等に用いられる。音声処理部３６は、入力音声信号や出力音声信号の処理を行っている。
【００２９】
カメラ部１８は、カメラ撮影を行うものである。カメラ部１８には、レンズ等の光学系３７と、ＣＣＤ（Ｃｈａｒｇｅ  Ｃｏｕｐｌｅｄ  Ｄｅｖｉｃｅ）等のイメージセンサからなる撮像部３８と、イメージセンサの撮像信号を処理する映像信号処理部３９とが含まれる。
【００３０】
ＧＰＳ機能部４１は、複数の衛星からの電波を受信して、携帯電話端末１の現在地を測位するものである。ＲＦＩＤリーダ４２は、電子マネー等を利用する場合に、近距離通信を行うものである。
【００３１】
通信チューナ４３は、テレビジョン放送の電波を受信するものである。テレビジョン放送としては、地上ディジタルテレビジョン放送の１セグメントを使った低解像度の放送（以下、ワンセグ放送と略称する）が用いられる。ＴＶ再生部４４は、ワンセグ放送のデコードをデコードして、再生するものである。ＴＶ録画部４５は、受信したテレビジョン放送の録画を行うものである。
【００３２】
着信報知用スピーカ４６は、着信を知らせる音や音楽を出力するものである。バイブレータ４７は、着信を振動で知らせるものである。
【００３３】
次に、本発明の第１の実施形態の携帯電話端末の動作について説明する。上述のように、本発明が適用できる携帯電話端末１は、インターネットの接続機能を有すると共に、ワンセグのテレビジョン放送の受信機能を有している。そして、本発明の第１の実施形態の携帯電話端末では、インターネットのウェブページからテレビジョンへの連係操作が可能である。
【００３４】
つまり、図３（Ａ）に示すように、ユーザがインターネットビューアを起動して、表示部１３にインターネットのウェブページを表示する際に、表示しているウェブページがテレビジョン番組に関連しているかどうかが判定される。そして、表示しているウェブページがテレビジョン番組に関連しているサイトなら、図３（Ｂ）に示すように、このウェブページのテレビジョン放送が受信され、表示部１３にテレビジョン放送の再生画面が表示される。
【００３５】
インターネットのウェブページからテレビジョン放送の再生画面への切り替えは、テレビジョン番組に関連しているウェブページであると判定されたら、直ちにテレビジョン放送の受信を開始しても良いし、テレビジョン放送の受信を開始する前に、テレビジョン放送の受信をユーザに確認する起動確認の表示（操作指示用アイコン等（テレビジョン放送の受信準備を指示するための指示手段）のオンスクリーン表示）を表示部１３に行い、起動確認でテレビジョン放送の開始が指示されてから、そのテレビジョン放送の受信を開始するようにしても良い。起動確認としては、メニューにテレビジョン起動項目を追加しても良いし、又は、図４に示すように、機能選択表示５１を表示しても良い。
【００３６】
図５は、本発明の第１の実施形態の動作に基づく機能ブロック図である。図５の機能ブロック図は、ウェブページ閲覧部１０１、ＴＶ関連ウェブページ判定部１０２、ＴＶ番組起動確認表示部１０３、ＴＶ番組設定部１０４、ＴＶ関連ウェブページデータベース１０５、ＴＶ番組表示部１０６の有機的結合より成る。ＴＶ関連ウェブページデータベース１０５は図２のメモリ２３に格納されるが、その他の部材は主制御部２１に設けられる。図５に示すように、ウェブページ閲覧部１０１により、インターネットのウェブページが表示部１３に表示される。そして、ＴＶ関連ウェブページ判定部１０２で、現在表示されているウェブページは、テレビジョン番組に関連するウェブページであるかどうかが判定される。現在表示されているウェブページがテレビジョン番組に関連するウェブページであると判定された場合には、ＴＶ番組起動確認表示部１０３により起動確認の表示が行われ、起動が確認されると、ＴＶ番組設定部１０４によりその番組に対応するチャンネルの受信状態に設定され、ＴＶ番組表示部１０６により、その番組のテレビジョン放送の受信が開始される。
【００３７】
ＴＶ関連ウェブページ判定部１０２で、現在表示されているウェブページがテレビジョン番組に関連するウェブページであるかどうかを判定する際に、この実施形態では、そのウェブページのサイトのアドレス（ＵＲＬ（Ｕｎｉｆｏｒｍ  Ｒｅｓｏｕｒｃｅ  Ｌｏｃａｔｏｒ））が用いられる。
【００３８】
すなわち、ＴＶ関連ウェブページ判定部１０２に対して、ＴＶ関連ウェブページデータベース１０５が設けられる。このＴＶ関連ウェブページデータベース１０５には、図６に示すように、テレビジョン放送局やテレビジョン番組と、チャンネルと、関連サイトのウェブページのＵＲＬとの対応関係が記述されている。ＴＶ関連ウェブページデータベース１０５は、例えば、テレビジョン番組の関連サイトの情報を提供する専用のサイトからダウンロードしても良い。また、テレビジョン放送局やテレビジョン番組のウェブページとそのＵＲＬとの対応関係を予めメモリ２３に記憶させておいても良い。また、テレビジョン放送中に、データとして送信しても良い。
【００３９】
ＴＶ関連ウェブページ判定部１０２は、現在表示しているウェブページのＵＲＬがこのＴＶ関連ウェブページデータベース１０５中にあるかどうかを検索し、現在表示しているウェブページのＵＲＬがこのＴＶ関連ウェブページデータベース１０５中にあれば、テレビジョン番組の関連サイトのウェブページであると判定する。もちろん、ウェブページのＵＲＬの一部分がＴＶ関連ウェブページデータベース１０５と一致していることにより、テレビジョン番組の関連サイトのウェブページであると判定してもよい。
【００４０】
図７は、本発明の第１の実施形態の動作を示すフローチャートである。図７において、専用サイトからのダウンロード等により、ＴＶ関連ウェブページデータベースが作成される（ステップＳ１０１）。次に、ユーザはビューアを起動するが、この際、ウェブページを閲覧するビューアが起動されたかどうかが判定され（ステップＳ１０２）、ビューアが起動されたと判定されたら、表示しているウェブページのサイトのＵＲＬが取得される（ステップＳ１０３）。またビューアが起動されないと判定されたら、ステップＳ１０２へ戻る。そして、現在表示しているウェブページのＵＲＬを、テレビジョン番組の関連サイトのデータベースから検索することで（ステップＳ１０４）、テレビジョン番組の関連サイトのウェブページであるかどうかが判定される（ステップＳ１０５）。
【００４１】
ステップＳ１０５で、現在表示しているウェブページのサイトがテレビジョン番組に関連すると判定された場合には、ＴＶ起動用のアイコンが表示され、ユーザがこのアイコンを操作すると、ＴＶ起動確認の表示が行われる（ステップＳ１０６）。この起動確認の表示でＴＶ起動が選択されたかどうかが判定され（ステップＳ１０７）、ＴＶ起動が選択されたら、その番組のテレビジョン放送の受信再生が開始される（ステップＳ１０８）。
【００４２】
ステップＳ１０７で、ＴＶ起動が選択されなければ、新しいウェブページに移動したかどうかが判定され（ステップＳ１０９）、新しいウェブページに移動していなければ、ステップＳ１０７にリターンされ、起動確認の表示が継続される。ステップＳ１０９で、新しいウェブページに移動したと判定されたら、ステップＳ１０３にリターンされる。
【００４３】
ステップＳ１０５で、現在表示しているウェブページのサイトがテレビジョン番組に関連するサイトではないと判定された場合には、新しいウェブページに移動したかどうかが判定され（ステップＳ１１０）、新しいウェブページに移動したと判定されたら、ステップＳ１０３にリターンされる。新しいウェブページに移動していないと判定されたら、ステップＳ１１０にリターンされる。
【００４４】
以上説明したように、本発明の第１の実施形態では、表示しているウェブページのＵＲＬにより、そのウェブページのサイトがテレビジョン番組に関連するサイトであるかどうかが判定され、表示しているウェブページのサイトがテレビジョン番組に関連するサイトの場合には、そのテレビジョン放送の受信が開始される。これにより、インターネットのウェブページからテレビジョンへの連係操作が可能になる。
【００４５】
＜第２の実施形態＞
次に、本発明の第２の実施形態について説明する。前述の第１の実施形態では、ウェブページのサイトのＵＲＬから、表示しているウェブページのサイトがテレビジョン番組に関連するサイトであるかどうかが判定している。これに対して、この実施形態では、表示しているウェブページを解析して、テレビジョン番組に関連するかどうかを判定している。さらに、この実施形態では、ＥＰＧの情報を解析してデータベース化しておき、ＥＰＧ情報のデータベースとの比較により、放送日時、放送局名等を判定し、ウェブページのテレビジョン放送に関連する部分に、ハイパーリンクを付加するようにしている。このハイパーリンクで示される部分が選択されると、そのテレビジョン番組の放送前ならその番組の予約が行われ、放送中ならその番組の受信再生が行われ、放送後ならその番組に関連するウェブページが表示される。
【００４６】
つまり、テレビジョン放送中又はインターネットでは、図８に示すように、各テレビジョン局の番組放送予定を示す電子番組情報（ＥＰＧ：Ｅｌｅｃｔｒｏｎｉｃ  Ｐｒｏｇｒａｍ  Ｇｕｉｄｅ）が提供されている。このＥＰＧの文字情報の形態素解析が行われ、この形態素解析の結果に基づいて、ＥＰＧ文字列データベースが作成される。形態素解析は、自然言語で書かれた文字列を形態素（言語で意味を持つ最小単位）の文字列に分割し、それぞれの品詞を判別するものである。
【００４７】
例えば、図８のＥＰＧ情報中には、「高校野球大会の開会式」の文字情報が含まれており、この文字情報を形態素解析する。すなわち、「高校野球の開会式」という文字列を公知の方法に従って単語分割を行い、さらに日本語文法と単語辞書を用いて品詞に分割し、名詞を優先的にキーワードとして抽出する。以上の操作は適宜のソフトウェアを用いて自動的に行われる。かくして、図９（Ａ）に示すように、最小単位の文字列に分割され、それぞれの品詞が判定される。すなわち、「高校野球大会の開会式」という文字情報は、「高校野球（名詞）」、「大会（名詞）」、「の（助詞）」、「開会式（名詞）」という最小単位の文字列に分解され、それぞれの品詞が判定される。この中から、名詞を抽出することで、図９（Ｂ）に示すようなキーワードとなる文字列、すなわち「高校野球」、「大会」、「開会式」が抽出される。このキーワードとなる文字列により、図１０に示すように、放送局名と、チャンネルと、放送開始時刻と、放送終了時刻と、キーワードの文字列とからなるＥＰＧ文字列データベースが作成される。すなわち、「放送局」は「ＸＹテレビ」、「チャンネル」は「５ｃｈ」、「放送開始時間」は「０９：４５」、「放送終了時間」は「１０：４５」、「キーワード文字列」は「高校野球」、「大会」、「開会式」である。ここで、キーワードの作成は、前述のような単語辞書を用いた形態素解析ではなく、文字種の切り替わりを基にして切り出す方法でもよい。例えば、漢字、カタカナ、ひらがな、英数字、記号などの切り替わりを利用して、「高校野球／の／開会式」と切り出す処理を形態素解析としてもよい。
【００４８】
また、インターネットのウェブページ中には、図１１に示すように、文字情報が含まれている。例えば、このウェブページ中には、「高校野球大会の開会式を中継する」の文字情報が含まれている。この文字情報を形態素解析すると、図１２（Ａ）に示すように、最小単位の文字列に分割され、それぞれの品詞が判定される。すなわち、「高校野球大会の開会式」という文字情報は、「高校野球（名詞）」、「大会（名詞）」、「の（助詞）」、「開会式（名詞）」という最小単位の文字列に分解され、それぞれの品詞が判定される。この中から、名詞を抽出することで、図１２（Ｂ）に示すような判定対象文字列「高校野球」、「大会」、「開会式」が抽出される。
【００４９】
判定対象文字列が抽出できたら、この判定対象文字列がＥＰＧ文字列データベース（図１０）のキーワードの文字列中に含まれているかどうかが判定される。判定対象文字列がＥＰＧ文字列データベースのキーワードの文字列中に含まれていたら、ＴＶリンクが付加される。
【００５０】
ＴＶリンクは、例えば、図１３に示すように、ＨＴＭＬ等のハイパー言語のハイパーリンクのタグとして記述される。このタグによる情報をビューアで表示させると、図１４に示すように、ＴＶリンク６１の表示となる。なお、図１５に示すように、放送前、放送中、放送後で、ＴＶリンク６１ａ〜６１ｃの表示形態を変えるようにしても良い。
【００５１】
ユーザは、このＴＶリンク６１により、このウェブページで提供されている番組がテレビジョン番組に関連していることが分かる。ここで、ＴＶリンク６１で示される部分が選択されると、そのテレビジョン番組の放送前ならその番組の予約録画が行われ、放送中ならその番組の受信再生が開始され、放送後ならその番組に関連するウェブページに移ってそのウェブページが表示される。ユーザはそのウェブページにより、例えば放送終了の野球の試合結果やドラマの概要を読むことができる。
【００５２】
なお、上述の例では、ＥＰＧ情報を解析して、ＥＰＧ文字列データベースのキーワードを生成しているが、テレビジョン放送局名や番組名等をキーワードとしても良い。この場合には、予め、キーワードをメモリ２３に記憶させておいても良い。また、テレビジョン放送中やインターネット等で、キーワードを提供するようにしても良い。
【００５３】
図１６は、本発明の第２の実施形態の動作に基づく機能ブロック図である。図１６の機能ブロック図は、ウェブページ閲覧部２０１、ウェブページ解析部２０２、ＥＰＧ取得部２０３、ＥＰＧ文字列データ生成部２０４、ＥＰＧ文字列データベース２０５、ＴＶ関連文字列判定部２０６、ＴＶリンク挿入部２０７、ＴＶリンク選択部２０８、放送時間判定部２０９、ＴＶ録画部２１０、ＴＶ受信表示部２１１、情報表示部２１２の有機的結合より成る。ＥＰＧ文字列データベース２０５は図２のメモリ２３に格納されるが、その他の部材は主制御部２１に設けられる。図１６に示すように、ウェブページ閲覧部２０１により、インターネットのウェブページが表示される。ウェブページ解析部２０２により、表示しているインターネットのウェブページが解析され、判定対象文字列が抽出される。この判定対象文字列の抽出は、ウェブページ中の文字列を形態素解析することで行われる。
【００５４】
また、ＥＰＧ取得部２０３により、テレビジョン放送中に送られてくる又はインターネットで提供されているＥＰＧ情報を受信して、ＥＰＧ情報が取得される。ＥＰＧ文字列データ生成部２０４により、このＥＰＧ情報から、形態素解析により、キーワードが抽出され、ＥＰＧ文字列データベース２０５が形成される。
【００５５】
ＴＶ関連文字列判定部２０６により、ＥＰＧ文字列データベース２０５のキーワードの文字列と、ウェブページ解析部２０２からの判定対象文字列とが比較される。そして、ＴＶリンク挿入部２０７により、テレビジョン放送に関連する部分にＴＶリンクが付加される。
【００５６】
ＴＶリンク選択部２０８により、ＴＶリンクで示される部分が選択されたかどうかが判定され、ＴＶリンクで示される部分が選択されたら、放送時間判定部２０９で、そのテレビジョン番組の放送前、放送中、放送後かが判定される。そのテレビジョン番組の放送前なら、ＴＶ録画部２１０により、その番組の予約が行われ、そのテレビジョン番組が放送中なら、ＴＶ受信表示部２１１により、その番組の受信再生が行われ、そのテレビジョン番組が放送後なら、情報表示部２１２により、その番組に関連するウェブページのサイトに移動され、そのウェブページが表示される。ここで、テレビジョン番組の放送前の場合、その番組の録画予約の代わりに、その番組が始まる時刻になったら受信再生を行う視聴予約としてもよい。もちろん、録画予約と視聴予約を選択するようにしてもよい。
【００５７】
図１７は、本発明の第２の実施形態の動作を示すフローチャートである。図１７において、新しいＥＰＧ情報が入手可能かどうかが判断され（ステップＳ２０１）、新しいＥＰＧ情報が入手可能なら、ＥＰＧ情報が取得される（ステップＳ２０２）。ＥＰＧ情報の文字情報の形態素解析が行われ（ステップＳ２０３）、この形態素解析の結果に基づいて、ＥＰＧ文字列データベースが作成される（ステップＳ２０４）。
【００５８】
ウェブページを閲覧するビューアが起動されたかどうかが判定され（ステップＳ２０５）、ビューアが起動されたら、表示しているウェブページの文字情報の形態素解析が行われ（ステップＳ２０６）、判定対象文字列が抽出される（ステップＳ２０７）。そして、判定対象文字列がＥＰＧ文字列データベース中にあるかどうかが検索される（ステップＳ２０８）。
【００５９】
ステップＳ２０８で、判定対象文字列がＥＰＧ文字列データベース中にあれば、その部分にＴＶリンクが付加される（ステップＳ２０９）。そして、判定対象文字列の最後かどうかが判定され（ステップＳ２１０）、判定対象文字列の最後でなければ、次の判定対象文字列に移されて（ステップＳ２１１）、ステップＳ２０７にリターンされる。
【００６０】
ステップＳ２０８で、判定対象文字列がＥＰＧ文字列データベース中になければ、判定対象文字列の最後かどうかが判定され（ステップＳ２１０）、判定対象文字列の最後でなければ、次の判定対象文字列に移されて（ステップＳ２１１）、ステップＳ２０７にリターンされる。
【００６１】
ステップＳ２０７〜Ｓ２１１のループを繰り返すことで、ウェブページ中から抽出された各判定対象文字列に対して、ＥＰＧ文字列データベース中にあるかどうかが判定され、その判定対象文字列がＥＰＧ文字列データベース中にあれば、その部分にＴＶリンクが付加されることになる。
【００６２】
ステップＳ２１０で、判定対象文字列の最後であると判定されたら、ＴＶリンクが表示される（ステップＳ２１２）。そして、ユーザ操作によりこのＴＶリンクの部分が選択されたかどうかが判定される（ステップＳ２１３）。
【００６３】
ステップＳ２１３で、ＴＶリンクの部分が選択されなければ、新しいページに移動されたかどうかが判定され（ステップＳ２１４）、新しいページに移動されていなければ、ステップＳ２１２にリターンされ、ＴＶリンクの表示が継続される。
【００６４】
ステップＳ２１３で、ＴＶリンクの部分が選択されたと判断されたら、その番組は、放送開始前か、放送中か、放送終了後かどうかが判定される（ステップＳ２１５）。そのテレビジョン番組の放送前ならその番組の予約録画が行われ（ステップＳ２１６）、放送中ならその番組の受信再生が行われ（ステップＳ２１７）、放送後ならその番組に関連するウェブページが表示される（ステップＳ２１８）。
【００６５】
以上説明したように、本発明の第２の実施形態では、表示しているウェブページを解析して、テレビジョン番組に関連するサイトであるかどうかを判定し、さらに、ＥＰＧ情報との比較により、放送日時、放送局名等を判定し、ウェブページのテレビジョン放送に関連する部分に、ＴＶリンクを付加し、このＴＶリンクで示される部分が選択されると、そのテレビジョン番組の放送前ならその番組の予約が行われ、放送中ならその番組の受信再生が行われ、放送後ならその番組に関連するウェブページが表示される。これにより、インターネットのウェブページからテレビジョンへのより多彩な連係操作が可能になる。
【００６６】
＜第３実施形態＞
次に、本発明の第３の実施形態について説明する。前述の第１及び第２の実施形態では、インターネットのウェブページからテレビジョンへの連携操作を行っている。これに対して、この実施形態では、メールからテレビジョンへの連携操作を行っている。
【００６７】
前述の第２の実施形態と同様に、テレビジョン放送中又はインターネットでは、各テレビジョン局の番組放送予定を示すＥＰＧが提供されており、このＥＰＧの文字情報の形態素解析が行われ、放送局名と、放送開始時間と、放送終了時間と、文字列とからなるＥＰＧ文字列データベースが作成される。
【００６８】
図１８（Ａ）に示すようなメールを受信すると、このメールの文字情報が形態素解析され、判定対象文字列が抽出される。そして、この判定対象文字列がＥＰＧ文字列データベース中に含まれているかどうかが判定され、判定対象文字列がＥＰＧ文字列データベース中に含まれていたら、図１８（Ｂ）に示すように、ＴＶリンク６１が付加される。ここで、ＴＶリンク６１で示される部分が選択されると、そのテレビジョン番組の放送前ならその番組の予約録画が行われ、放送中ならその番組の受信が開始され、放送後ならその番組に関連するウェブページに移ってそのウェブページが表示される。
【００６９】
図１９は、機能選択表示５１を追加した例である。図１９（Ａ）に示すように、メールから抽出された判定対象文字列がＥＰＧ文字列データベース中に含まれていると、図１９（Ａ）に示すように、ＴＶリンク６１が付加される。ここで、機能キー１７ｃが操作されると、図１９（Ｂ）に示すような機能選択表示５１が表示される。ここで、機能選択表示５１からＴＶ起動が選択されると、そのテレビジョン番組の放送前ならその番組の予約が行われ、放送中ならその番組の受信が開始され、放送後ならその番組に関連するウェブページに移ってそのウェブページが表示される。ここで、機能選択表示５１には、「ＴＶ録画」や「関連ホームページ閲覧」等の機能が追加されていてもよいし、機能選択の確認表示を行ってもよい。
【００７０】
図２０は、本発明の第３の実施形態の動作に基づく機能ブロック図である。図２０の機能ブロック図は、メール閲覧部３０１、メール解析部３０２、ＥＰＧ取得部３０３、ＥＰＧ文字列データ生成部３０４、ＥＰＧ文字列データベース３０５、ＴＶ関連文字列判定部３０６、ＴＶリンク挿入部３０７、ＴＶリンク選択部３０８、放送時間判定部３０９、ＴＶ録画部３１０、ＴＶ受信表示部３１１、情報表示部３１２の有機的結合より成る。ＥＰＧ文字列データベース３０５は図２のメモリ２３に格納されるが、その他の部材は主制御部２１に設けられる。図２０に示すように、メール閲覧部３０１により、メールの送受信が行われる。メール解析部３０２により、形態素解析により、メールの文字情報が解析され、判定対象文字列が抽出される。
【００７１】
また、ＥＰＧ取得部３０３により、テレビジョン放送中に送られてくる又はインターネットで提供されているＥＰＧ情報を受信して、ＥＰＧ情報が取得される。ＥＰＧ文字列データ生成部３０４により、このＥＰＧ情報から、形態素解析により、キーワードが抽出され、ＥＰＧ文字列データベース３０５が形成される。
【００７２】
ＴＶ関連文字列判定部３０６により、ＥＰＧ文字列データベース３０５のキーワードの文字列と、メール解析部３０２からの判定対象文字列とが比較される。そして、ＴＶリンク挿入部３０７により、テレビジョン放送に関連する部分にＴＶリンクが付加される。
【００７３】
ＴＶリンク選択部３０８により、ＴＶリンクで示される部分が選択されたかどうかが判定され、ＴＶリンクで示される部分が選択されたら、放送時間判定部３０９で、そのテレビジョン番組の放送前、放送中、放送後かが判定される。そのテレビジョン番組の放送前なら、ＴＶ録画部３１０により、その番組の予約録画が行われ。そのテレビジョン番組が放送中なら、ＴＶ受信表示部３１１により、その番組の受信再生が行われ。そのテレビジョン番組が放送後なら、情報表示部３１２により、その番組に関連するウェブページのサイトに移動され、そのウェブページが表示される。
【００７４】
図２１は、本発明の第３の実施形態の動作を示すフローチャートである。図２１において、新しいＥＰＧ情報が入手可能かどうかが判断され（ステップＳ３０１）、新しいＥＰＧ情報が入手可能なら、ＥＰＧ情報が取得される（ステップＳ３０２）。ＥＰＧ情報の文字情報の形態素解析が行われ（ステップＳ３０３）、この形態素解析の結果に基づいて、ＥＰＧ文字列データベースが作成される。
【００７５】
メールを送受するメーラが起動されたかどうかが判定され（ステップＳ３０５）、メーラが起動されたら、表示しているメールの文字情報の形態素解析が行われる（ステップＳ３０６）、判定対象文字列が抽出される（ステップＳ３０７）。そして、判定対象文字列がＥＰＧ文字列データベース中にあるかどうかが検索される（ステップＳ３０８）。
【００７６】
ステップＳ３０８で、判定対象文字列がＥＰＧ文字列データベース中にあれば、その部分にＴＶリンクが付加される（ステップＳ３０９）。そして、判定対象文字列の最後かどうかが判定され（ステップＳ３１０）、判定対象文字列の最後でなければ、次の判定対象文字列に移されて（ステップＳ３１１）、ステップＳ３０７にリターンされる。
【００７７】
ステップＳ３０８で、判定対象文字列がＥＰＧ文字列データベース中になければ、判定対象文字列の最後かどうかが判定され（ステップＳ３１０）、判定対象文字列の最後でなければ、次の判定対象文字列に移されて（ステップＳ３１１）、ステップＳ３０７にリターンされる。
【００７８】
ステップＳ３０７〜Ｓ３１１のループを繰り返すことで、メールから抽出された各判定対象文字列に対して、ＥＰＧ文字列データベース中にあるかどうかが判定され、その判定対象文字列がＥＰＧ文字列データベース中にあれば、その部分にＴＶリンクが付加されることになる。
【００７９】
ステップＳ３１０で、判定対象文字列の最後であると判定されたら、ＴＶリンクが表示される（ステップＳ３１２）。そして、ユーザ操作によりこのＴＶリンクの部分が選択されたかどうかが判定される（ステップＳ３１３）。
【００８０】
ステップＳ３１３で、ＴＶリンクの部分が選択されなければ、新しいページに移動されたかどうかが判定され（ステップＳ３１４）、新しいページに移動されていなければ、ステップＳ３１２にリターンされ、ＴＶリンクの表示が継続される。
【００８１】
ステップＳ３１３で、ＴＶリンクの部分が選択されたと判断されたら、その番組は、放送開始前か、放送中か、放送終了後かどうかが判定される（ステップＳ３１５）。そのテレビジョン番組の放送前ならその番組の予約が行われ（ステップＳ３１６）、放送中ならその番組の受信再生が行われ（ステップＳ３１７）、放送後ならその番組に関連するウェブページが表示される（ステップＳ３１８）。
【００８２】
以上説明したように、本発明の第３の実施形態では、メールを解析して、テレビジョン番組に関連するかどうかを判定し、さらに、ＥＰＧ情報との比較により、放送日時、放送局名等を判定し、ウェブページのテレビジョン放送に関連する部分に、ＴＶリンクを付加し、このＴＶリンクで示される部分が選択されると、そのテレビジョン番組の放送前ならその番組の予約が行われ、放送中ならその番組の受信再生が行われ、放送後ならその番組に関連するウェブページが表示される。これにより、メールからテレビジョンへの連係操作が可能になる。
【００８３】
本発明は、上述した実施形態に限定されるものではなく、本発明の要旨を逸脱しない範囲内で様々な変形や応用が可能である。
【００８４】
なお、ソースとなるプログラムは、フレキシブルディスク、光磁気ディスク、ＲＯＭ、ＣＤ−ＲＯＭ等の可搬媒体等のコンピュータ読み取り可能な記録媒体で提供される。また、ソースとなるプログラムは、コンピュータシステムから、伝送媒体を介して、或いは、伝送媒体中の伝送波により他のコンピュータシステムに伝送されても良い。ここで、プログラムを伝送する「伝送媒体」は、インターネット等のネットワーク（通信網）や電話回線等の通信回線（通信線）のように情報を伝送する機能を有する媒体のことをいう。また、ソースとなるプログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００８５】
１０１：ウェブページ閲覧部
１０２：ＴＶ関連ウェブページ判定部
１０３：ＴＶ番組起動確認表示部
１０４：ＴＶ番組設定部
１０５：ＴＶ関連ウェブページデータベース
１０６：ＴＶ番組表示部
２０１：ウェブページ閲覧部
２０２：ウェブページ解析部
２０３：ＥＰＧ取得部
２０４：ＥＰＧ文字列データ生成部
２０５：ＥＰＧ文字列データベース
２０６：ＴＶ関連文字列判定部
２０７：ＴＶリンク挿入部
２０８：ＴＶリンク選択部
２０９：放送時間判定部
２１０：ＴＶ録画部
２１１：ＴＶ受信表示部
２１２：情報表示部
３０１：メール閲覧部
３０２：メール解析部
３０３：ＥＰＧ取得部
３０４：ＥＰＧ文字データ生成部
３０５：ＥＰＧ文字列データベース
３０６：ＴＶ関連文字列判定部
３０７：ＴＶリンク挿入部
３０８：ＴＶリンク選択部
３０９：放送時間判定部
３１０：ＴＶ録画部
３１１：ＴＶ受信表示部
３１２：情報表示部
【図１】
0005599122.tif 000002
【図２】
0005599122.tif 000003
【図３】
0005599122.tif 000004
【図４】
0005599122.tif 000005
【図５】
0005599122.tif 000006
【図６】
0005599122.tif 000007
【図７】
0005599122.tif 000008
【図８】
0005599122.tif 000009
【図９】
0005599122.tif 000010
【図１０】
0005599122.tif 000011
【図１１】
0005599122.tif 000012
【図１２】
0005599122.tif 000013
【図１３】
0005599122.tif 000014
【図１４】
0005599122.tif 000015
【図１５】
0005599122.tif 000016
【図１６】
0005599122.tif 000017
【図１７】
0005599122.tif 000018
【図１８】
0005599122.tif 000019
【図１９】
0005599122.tif 000020
【図２０】
0005599122.tif 000021
【図２１】
0005599122.tif 000022